(57)【要約】【課題】  手洗器にバックガードなどの水返しを設ける必要がなく、コストを低減させ、しかも意匠性に優れた設置状態が得られて、メンテナンス時には着脱が容易な手洗器の設置構造を提供する。【解決手段】  背面１ａを壁２に当接状にして設置される手洗器１において、手洗器１の背面１ａと壁２間に止水板１１を配置し、この止水板１１の裏面の止水テープにより止水板１１を壁２に水密に固定するとともに、止水板１１の前面に設けたパッキン１２に手洗器１の背面１ａを着脱可能に当接させて設置する。【選択図】        図４
2006000402.tif 000002
【特許請求の範囲】
【請求項１】
背面を壁に当接状にして設置される手洗器において、該手洗器の背面と前記壁間に止水板を配置し、該止水板を前記壁に水密に固定するとともに、該止水板の前面に設けたパッキンに前記手洗器の背面を着脱可能に当接させて設置したことを特徴とする手洗器の設置構造。
【請求項２】
前記止水板の裏面に設けた止水テープにより、該止水板を前記壁に水密に固定することを特徴とする請求項１に記載の手洗器の設置構造。
【請求項３】
前記止水板を前記手洗器の背面上端より低い位置に配置したことを特徴とする請求項１または請求項２に記載の手洗器の設置構造。
【請求項４】
前記止水板の前面左右端に、前記手洗器の側壁内側に嵌まり込む位置決めパットを取り付けたことを特徴とする請求項１または請求項２または請求項３に記載の手洗器の設置構造。
【発明の詳細な説明】
【技術分野】
【０００１】
本発明は、手洗器の設置構造に関するものである。
【背景技術】
【０００２】
従来、特許文献１に開示されているように、洗面器の背部にバックパネルとパッキンを設けることによって、下方への水漏れがなく、また、取り外しが容易となる洗面器の設置構造が存在する。
【特許文献１】特開平１１−２９９６６７号公報
【発明の開示】
【発明が解決しようとする課題】
【０００３】
例えば、キャビネット式トイレにおいては、ロータンクがキャビネット内部に隠蔽されるため、メンテナンスの際に、上面に設置される手洗器を取り外す必要があるが、従来では、手洗器の回りを止水するために、前記特許文献１に開示されているように、バックガードなどの水返し部を設ける等しており、コストが大となり、また意匠性が悪くなるという問題点があった。
【課題を解決するための手段】
【０００４】
本発明は上記従来の問題点に鑑み案出したものであって、バックガード等を必要とせず、意匠性に優れ、かつメンテナンス時等に容易に着脱できる手洗器の設置構造を提供せんとするものであり、その請求項１は、背面を壁に当接状にして設置される手洗器において、該手洗器の背面と前記壁間に止水板を配置し、該止水板を前記壁に水密に固定するとともに、該止水板の前面に設けたパッキンに前記手洗器の背面を着脱可能に当接させて設置したことである。
また、請求項２は、前記止水板の裏面に設けた止水テープにより、該止水板を前記壁に水密に固定することである。
また、請求項３は、前記止水板を前記手洗器の背面上端より低い位置に配置したことである。
また、請求項４は、前記止水板の前面左右端に、前記手洗器の側壁内側に嵌まり込む位置決めパットを取り付けたことである。
【発明の効果】
【０００５】
本発明の手洗器の設置構造は、手洗器の背面と壁間に止水板を配置し、止水板を壁に水密に固定するとともに、止水板の前面に設けたパッキンに手洗器の背面を着脱可能に当接させて設置したことにより、止水板の表側のパッキンに手洗器の背面を当接させて、手洗器を良好に止水して壁面に当接状に設置することができ、手洗器や手洗器を置くカウンターにはバックガード等の水返しを設ける必要がなく、コストが低減し、また手洗器の意匠性が向上するものとなる。
また、メンテナンスの際等には容易に手洗器を着脱でき、メンテナンスの作業性が向上するものとなる。また、壁に凹凸がある場合でも、止水板は平滑であるため、その前面に設けられているパッキンで確実に手洗器の背面を止水することができ、止水性能の均一化を図ることができるものとなる。
【０００６】
また、止水板の裏面に設けた止水テープにより止水板を壁に水密に固定することにより、止水テープで止水板を水密に固定したので、簡単に壁と止水板との間の止水ができるものとなる。
【０００７】
また、止水板を手洗器の背面上端より低い位置に配置したことにより、止水板が手洗器の設置状態では隠されるため、見栄え良く手洗器を設置できるものとなる。
【０００８】
また、止水板の前面左右端に、手洗器の側壁内側に嵌まり込む位置決めパットを取り付けたことにより、止水板の位置に対する手洗器の位置が統一でき、止水性能の均一化が図れ、しかも位置決めパットは設置状態では手洗器の内側に隠れるため、設置状態の手洗器の意匠性が向上するものとなる。
【実施例】
【０００９】
以下、本発明の実施例を図面に基づいて説明する。
図１は、キャビネット式トイレの斜視構成図であり、キャビネット３の上面に設置される手洗器１は、壁２に背面を当接状にして設置されており、手洗器１の左右側方にはカウンター４，４が配置され、左右のカウンター４，４の下方は収納部となっており、収納部の前面にはそれぞれ開閉可能に収納部扉５，５が設けられている。また、キャビネット３の前面には便器６が設置されている。
【００１０】
図２の分解拡大斜視図で示すように、キャビネット３は、キャビネット本体３ａの前面に前板３ｂが取り付けられて構成され、キャビネット本体３ａ内には、便器６へ洗浄水を供給するロータンク８が隠蔽状に収納されている。
このキャビネット本体３ａの上端に突出されているダボ１０，１０を、カウンター４，４の底面に形成されているスリット部４ａに整合させて嵌め込み、キャビネット本体３ａの上面左右側にカウンター４，４を取り付けできるものである。なお、カウンター４，４の上面には、予めマジックファスナー（登録商標）７，７が設けられている。また、キャビネット本体３ａの背側中央部には、凹み状に位置決め凹部９が形成されている。
【００１１】
この位置決め凹部９に対し、図３に示すように、止水板１１を位置決めして取り付けることができ、この止水板１１は、図５の拡大側面縦断面図、及び図７の拡大正面図で示すように、その下端側中央部に、前記位置決め凹部９内に嵌まり込む位置決め凸部１１ａが下向きに突出形成されており、この止水板１１の裏側には、予め止水テープ１４が貼着されており、剥離紙を剥がして、この止水テープ１４を壁２に貼り付けて、壁２に止水板１１を固定することができるものである。
なお、この止水板１１を壁２に固定する手段として、止水テープ１４に限らず、接着剤やビスなどを用いても良い。
また、止水板１１の前面上端には、横方向にパッキン１２が固着されており、さらに止水板１１の前面の左右端側には、それぞれ位置決めパット１３，１３が予め固着されている。
【００１２】
図３のように、止水板１１の位置決め凸部１１ａをキャビネット本体３ａの位置決め凹部９内に嵌め込んで、止水板１１を止水テープ１４を介して壁２に固定しておき、この状態で、図４に示すように手洗器１を取り付けるのである。
この場合、手洗器１の左右側の側壁１ｄ，１ｄの内側に、左右の位置決めパット１３，１３が嵌まり込むようにして、手洗器１の背面１ａを前記パッキン１２に押し当てながら、手洗器１の前面側を下方側へ降ろし、上から押さえ付けるようにして左右側のマジックファスナー（登録商標）７，７で手洗器１を固定して取り付けできるものである。
なお、図６には、手洗器１を設置した状態の平面拡大構成図を示す。
【００１３】
なお、図５の拡大側面縦断面図で示すように、手洗器１の背面１ａの下部には、下側へ斜め方向に突出して背面リブ１ｂが一体形成されており、この背面リブ１ｂをパッキン１２内に押し付けて、例えば５mm程度の厚みを有するパッキン１２を１mm程度に潰した状態で押し付けることで、確実な止水性能を確保でき、手洗器１下方への水の侵入を確実に防ぐことができるものとなる。
【００１４】
なお、設置状態では、手洗器１の背面１ａの上端１ｃより低い位置に止水板１１の上端が位置するため、手洗器１により、止水板１１及びパッキン１２及び位置決めパット１３は隠蔽された状態となり、これらが露出することがないためにスッキリとした設置状態が得られるものである。
また、手洗器１は背面１ａ側に立ち上がるバックガードが存在しないために意匠性に優れ、設置状態が極めてスッキリとしたものとなる。
【００１５】
なお、このような構成では、壁２に凹凸が存在しても、止水テープ１４を介してその前面に止水板１１が固設され、止水板１１は平滑に形成されているため、その前面に設けられているパッキン１２を介して確実に手洗器１の背面１ａを止水することができるものとなる。
また、ロータンク８のメンテナンス時等には、マジックファスナー（登録商標）７から手洗器１を外して、手洗器の背面１ａをパッキン１２から引き離し、容易に取り外すことができ、手洗器１の着脱が自在であるためロータンク８等のメンテナンス作業も極めて容易に行えるものとなる。
【００１６】
なお、本例では、キャビネット本体３ａの背側上端に形成されている位置決め凹部９に止水板１１の位置決め凸部１１ａを嵌め込んで位置決めするように構成したが、ロータンク８に位置決め凹部９を設けて、止水板１１を所定位置に設置できるように構成しても良い。
なお、本例では、キャビネット式トイレにおける手洗器１の設置構造を例示しているが、他の場面における、背面１ａを壁２に当接状にして設置される手洗器１において、このような止水板１１を配置して良好に止水し、意匠性を向上させて設置することができるものとなる。
【図面の簡単な説明】
【００１７】
【図１】キャビネット式トイレの設置状態の斜視構成図である。
【図２】キャビネット式トイレのキャビネット上にカウンターを設置する分解斜視構成図である。
【図３】さらに壁に止水板を設置した状態の斜視構成図である。
【図４】さらに止水板に対し手洗器を設置する分解斜視構成図である。
【図５】手洗器の背面を止水板で止水した設置状態の拡大側面縦断面図である。
【図６】手洗器の設置状態の拡大平面構成図である。
【図７】手洗器を設置した状態の止水板の正面配置構成図である。
【符号の説明】
【００１８】
１  手洗器
１ａ  背面
１ｂ  背面リブ
１ｃ  背面上端
１ｄ  側壁
２  壁
３ａ  キャビネット本体
３ｂ  前板
４  カウンター
５  収納部扉
６  便器
７  マジックファスナー（登録商標）
８  ロータンク
９  位置決め凹部
１１  止水板
１２  パッキン
１３  位置決めパット
１４  止水テープ
【図１】
2006000402.tif 000003
【図２】
2006000402.tif 000004
【図３】
2006000402.tif 000005
【図４】
2006000402.tif 000006
【図５】
2006000402.tif 000007
【図６】
2006000402.tif 000008
【図７】
2006000402.tif 000009